(57)【要約】【課題】  シンボル誤り率を低減させてデジタル復調の精度を向上させることを目的とする。【解決手段】  ＱＡＭ信号を復調するためのデジタル復調器において、前記ＱＡＭ信号を直交検波するための準同期検波部と、前記準同期検波部にて得られるＩ成分及びＱ成分を有する信号のシンボルを判定するシンボル判定部とを有し、前記シンボル判定部は、予め設定される複数あるシンボルについて、位相雑音と熱雑音との和から分布形状を生成し、隣接するシンボルについて前記分布形状に基づいて閾値線を生成して、前記閾値線から得られるシンボル毎の判定閾領域により前記信号のシンボル判定を行うことにより、上記課題を解決する。【選択図】        図４
2005086549.tif 000002
【特許請求の範囲】
【請求項１】
ＱＡＭ信号を復調するためのデジタル復調器において、
前記ＱＡＭ信号を直交検波するための準同期検波部と、
前記準同期検波部にて得られるＩ成分及びＱ成分を有する信号のシンボルを判定するシンボル判定部とを有し、
前記シンボル判定部は、予め設定される複数あるシンボルについて、位相雑音と熱雑音との和から分布形状を生成し、隣接するシンボルとの間で前記分布形状に基づいて閾値線を生成して、前記閾値線から得られるシンボル毎の判定閾領域により前記信号のシンボル判定を行うことを特徴とするデジタル復調器。
【請求項２】
前記シンボル判定部は、
前記シンボルの分布形状と隣接するシンボルの分布形状を、予め設定される同一の楕円形状とすることを特徴とする請求項１に記載のデジタル復調器。
【請求項３】
前記シンボル判定部は、
前記閾値線を、前記シンボルの分布形状と隣接するシンボルの分布形状との交点を通る直線とすることを特徴とする請求項１又は２に記載のデジタル復調器。
【請求項４】
ＱＡＭ信号を復調するためのデジタル復調方法において、
前記ＱＡＭ信号を直交検波するための準同期検波段階と、
前記準同期検波段階にて得られるＩ成分及びＱ成分を有する信号のシンボルを判定するシンボル判定段階とを有し、
前記シンボル判定段階は、予め設定される複数あるシンボルについて、位相雑音と熱雑音との和から分布形状を生成し、隣接するシンボルとの間で前記分布形状に基づいて閾値線を生成して、前記閾値線から得られるシンボル毎の判定閾領域により前記信号のシンボル判定を行うことを特徴とするデジタル復調方法。
【発明の詳細な説明】
【技術分野】
【０００１】
本発明は、デジタル復調器及びデジタル復調方法に係り、特に位相雑音の影響を低減し、ＱＡＭ信号を高精度に復調するためのデジタル復調器及びデジタル復調方法に関する。
【背景技術】
【０００２】
従来、デジタル信号方式の一つであるＱＡＭ（Ｑｕａｄｒａｔｕｒｅ  Ａｍｐｌｉｔｕｄｅ  Ｍｏｄｕｌａｔｉｏｎ）方式は、古くからマイクロ波無線通信の分野で利用されている伝送方式である。また、近年では、ケーブル伝送の分野でもデジタル放送の再送信やケーブルモデム等に利用されており、変調処理、復調処理の容易さから、正方配置の６４ＱＡＭ、２５６ＱＡＭが実用化されている。ここで、上述したＱＡＭ復調に用いられるデジタル復調器のブロック構成について図を用いて説明する。
【０００３】
図１は、従来のデジタル復調器のブロック構成の一例を示す図である。図１のデジタル復調器１０は、チューナ１１と、Ａ／Ｄ変換部１２と、準同期検波部１３と、タイミング再生部１４と、ロールオフフィルタ１５と、搬送波再生部１６と、判定帰還等化部１７と、シンボル判定部１８とを有するよう構成されている。
【０００４】
まず、チューナ１１は、伝送信号を受信し、受信した伝送信号に含まれる周波数多重された多数のＲＦ（Ｒａｄｉｏ  Ｆｒｅｑｕｅｎｃｙ）信号の中から１つのＲＦ信号を選択し、低い周波数のＩＦ（Ｉｎｔｅｒｍｅｄｉａｔｅ  Ｆｒｅｑｕｅｎｃｙ）信号に変換する。また、チューナ１１は、ＩＦ信号に変換された信号をＡ／Ｄ変換部１２に出力する。
【０００５】
Ａ／Ｄ変換部１２は、受信したＩＦ信号をサンプリングしてアナログ信号からデジタル信号に変換する。また、Ａ／Ｄ変換部１２は、変換されたデジタル信号を準同期検波部１３に出力する。準同期検波部１３は、入力されたデジタル信号を固定周波数で直交検波し、同相成分（Ｉ成分）と直交成分（Ｑ成分）とに分ける。つまり、ベースバンド信号からＩ成分とＱ成分を抽出する準同期検波を行う。また、準同期検波部１３は、抽出したＩ成分とＱ成分とを有する信号をタイミング再生部１４に出力する。
【０００６】
タイミング再生部１４は、シンボルタイミングの回復を行う。ここで、Ａ／Ｄ変換部１２においては、非同期でデジタル信号にサンプリングされるため、タイミング再生部１４において、再サンプリングを行いシンボルのタイミングの一番近い部分を取り出す。タイミング再生された信号は、ロールオフフィルタ１５に出力される。
【０００７】
ロールオフフィルタ１５は、準同期検波部１３にて直交検波された信号をフィルタ等を用いてノイズを除去することで波形整形を行い、波形整形された信号を搬送波再生部１６に出力する。搬送波再生部１６は、整形された波形信号を用いて搬送波を再生し判定帰還等化部１７に出力する。
【０００８】
また、判定帰還等化部１７は、ＦＩＲ（Ｆｉｎｉｔｅ  Ｉｍｐｕｌｓｅ  Ｒｅｓｐｏｎｓｅ）フィルタで用いられる数式の係数を適応的に制御して反射妨害を除去する波形等化処理を行う。判定帰還等化部１７により波形等化処理された信号は、シンボル判定部１８に出力される。シンボル判定部１８は、入力される信号がどのシンボルに属しているかを判定し、判定結果のシンボルに基づいて復調信号を出力する。
【０００９】
ここで、熱雑音のようにＩ−Ｑ平面上で等方性の雑音がある場合、受信信号（等化後の出力（ｓｏｆｔ−ｏｕｔｐｕｔ））からどのシンボルが送信されたかを判定するシンボル判定回路について、Ｉ−Ｑ平面におけるコンスタレーション・パターンの中で、受信信号に最も近いシンボルを出力するのが最適である。ここで、どのシンボルに属するかの判定閾領域が正方配置のＱＡＭの場合、Ｉ方向、Ｑ方向で独立に判定することが可能でデジタル復調処理が容易となる。
【００１０】
なお、Ｉ−Ｑ平面におけるコンスタレーション・パターンとは、直交変調に対し，同相成分をｘ軸，直交成分をｙ軸として信号をｘｙ平面上に表したものである。
【００１１】
また、上述したように周波数多重された多数のＲＦ信号の中からチューナ１１により１つのＲＦ信号を選択する場合には、より低い周波数のＩＦ信号に変換するが、このときチューナ１１における位相雑音が問題になることがある。この位相雑音の影響により、シンボル判定部におけるシンボル誤り率が増加してしまう。
【００１２】
ここで、チューナにおける位相雑音の影響は、Ｉ−Ｑ平面上の原点から離れたシンボルに対して、より大きく現れる。この対応として、従来では位相雑音に対して耐性のあるＱＡＭ信号の配置として、外周部でシンボル間隔が離れるような判定用閾領域を設けたＱＡＭ信号の配置手法が開示されている（例えば、特許文献１参照。）。
【００１３】
なお、特許文献１では、復号化の複雑さが低い６４ＱＡＭ信号配置として提案されており、復号の際の判定境界は、隣接するシンボルを結ぶ線の垂直２等分線で与えられるか、その線を矩形状に近似したもので境界設定されている。
【特許文献１】特表平９−５０７３７３号公報
【発明の開示】
【発明が解決しようとする課題】
【００１４】
しかしながら、これまでの位相雑音に強いＱＡＭ伝送システムの構成は、送信側でＱＡＭ信号における判定閾領域の配置を工夫する方法であって、受信側での復調方法により改善されるものではなかった。
【００１５】
このため、チューナの位相雑音特性が改善された場合、シンボル判定を最適にするためには、送信側でＱＡＭ信号のシンボル配置を変更する必要がある。
【００１６】
本発明は、上述した課題に鑑みなされたものであり、送信側でのＱＡＭ信号のシンボル配置を変更することなく、受信側のシンボル判定を工夫することで、シンボル誤り率を低減させてデジタル復調の精度を向上させるためのデジタル復調器及びデジタル復調方法を提供することを目的とする。
【課題を解決するための手段】
【００１７】
上記課題を解決するために、本件発明は、以下の特徴を有する課題を解決するための手段を採用している。
【００１８】
請求項１に記載された発明は、ＱＡＭ信号を復調するためのデジタル復調器において、前記ＱＡＭ信号を直交検波するための準同期検波部と、前記準同期検波部にて得られるＩ成分及びＱ成分を有する信号のシンボルを判定するシンボル判定部とを有し、前記シンボル判定部は、予め設定される複数あるシンボルについて、位相雑音と熱雑音との和から分布形状を生成し、隣接するシンボルとの間で前記分布形状に基づいて閾値線を生成して、前記閾値線から得られるシンボル毎の判定閾領域により前記信号のシンボル判定を行うことを特徴とする。
【００１９】
請求項１記載の発明によれば、シンボルを判定する判定閾領域を位相雑音と熱雑音との和の分布形状に基づいて生成するため、シンボル誤り率を低減させデジタル復調の精度を向上させることができる。
【００２０】
請求項２に記載された発明は、前記シンボル判定部は、前記シンボルの分布形状と隣接するシンボルの分布形状を、予め設定される同一の楕円形状とすることを特徴とする。
【００２１】
請求項２記載の発明によれば、分布形状を同一の楕円形状とすることにより、判定閾領域を生成するための閾値線を容易で迅速に生成することができる。また、この楕円形状に基づいて閾値線を作成することにより、シンボル誤り率を低減させてデジタル復調の精度を向上させることができる。
【００２２】
請求項３に記載された発明は、前記シンボル判定部は、前記閾値線を、前記シンボルの分布形状と隣接するシンボルの分布形状との交点を通る直線とすることを特徴とする。
【００２３】
請求項３記載の発明によれば、判定閾領域を設定するための閾値線を容易で迅速に作成することができる。
【００２４】
請求項４に記載された発明は、ＱＡＭ信号を復調するためのデジタル復調方法において、前記ＱＡＭ信号を直交検波するための準同期検波段階と、前記準同期検波段階にて得られるＩ成分及びＱ成分を有する信号のシンボルを判定するシンボル判定段階とを有し、前記シンボル判定段階は、予め設定される複数あるシンボルについて、位相雑音と熱雑音との和から分布形状を生成し、隣接するシンボルとの間で前記分布形状に基づいて閾値線を生成して、前記閾値線から得られるシンボル毎の判定閾領域により前記信号のシンボル判定を行うことを特徴とする。
【００２５】
請求項４記載の発明によれば、シンボルを判定する判定閾領域を位相雑音と熱雑音との和の分布形状に基づいて生成するため、シンボル誤り率を低減させデジタル復調の精度を向上させることができる。
【発明の効果】
【００２６】
本発明によれば、シンボル誤り率を低減させて高精度なデジタル復調を実現することができる。
【発明を実施するための最良の形態】
【００２７】
＜本発明の概要＞
本発明は、隣接する２つのシンボルについて位相雑音と熱雑音との和の分布形状を同じ楕円と仮定して、直線の閾値線を取得し、それらの閾値線で囲まれる領域をＱＡＭ信号のシンボル判定閾値領域とすることで、従来の正方配置の判定閾領域を用いる場合と比べて、シンボル誤り率を改善することができる。以下に、上述した特徴を有する本発明におけるデジタル復調器及びデジタル復調方法を好適に実施した形態について、図面を用いて詳細に説明する。
【００２８】
＜基本原理＞
まず、本発明の実施形態の基本原理について説明する。誤り率がある程度の値以下である場合は、実際のシンボルと判定されたシンボルとは、隣接するシンボルである可能性が高い。したがって、隣接するシンボル分だけを考えれば良く、それ以上に離れたシンボル間の誤りは無視することができる。
【００２９】
そこで、まず２つのシンボルだけについて誤りを最小にするための閾値線を考える。各シンボルの揺らぎの分布は、熱雑音に由来する等方性の分布と位相雑音に由来する円周方向の揺らぎとの重畳積分で与えられる。このまま厳密に解析を行うと、非常に煩雑になるため、本実施例では以下に示す（ａ）〜（ｃ）の近似を行うものとする。
（ａ）位相雑音をガウス分布とする。
（ｂ）位相雑音が十分小さいと仮定して、熱雑音と位相雑音が重畳した雑音の分布形状を円弧状ではなく楕円状で近似するものとする。
（ｃ）２つのシンボル（例えば、シンボルＡ及びＢ）は近接しており、位相雑音分布の向き及び大きさは、２つのシンボルで等しいものとする。具体的には、シンボルＡ及びＢの中点にシンボルがあると仮定して算出した雑音の分布を、両方のシンボルに適用する。
【００３０】
ここで、上述の内容について図を用いて説明する。図２は、隣接するシンボルの位相雑音と熱雑音との分布の一例を示す図である。図２に示すように、Ｉ−Ｑ平面におけるコンスタレーション・パターンとして、同相成分をｘ軸，直交成分をｙ軸として信号をｘｙ平面上に隣接する２つのシンボル（シンボルＡ及びシンボルＢ）の分布が見られる。
【００３１】
ここで、図２に示す座標系（ｕ，ｖ）を以下のように定義する。シンボルＡとシンボルＢを結ぶ直線の中点を原点とし、ｕ軸は、この点と元のｘｙ平面の原点とを結ぶ直線とし、ｕ軸の極性は、元の座標（ｘ，ｙ）の原点が負の方向に位置するよう設定する。また、ｖ軸は、ｕ軸に垂直な円周方向の直線であり、ｘｙ平面の原点から反時計周りを正とする。これにより、分布は以下に示す（１）式のような楕円（軸は、座標軸に平行）となる。また、元の原点は、図２に示す左下の位置になるため、円周方向は、この座標系ではｖ軸方向にあり、楕円は図２に示すような向きで形成される。
【００３２】
【数１】
2005086549.tif 000003
ここで、ｆＮ（ｕ，ｖ）は確率密度分布であり、（ｕＮ，ｖＮ）はシンボルの座標である。また、（１）式において、Ｎは、シンボルＡ又はシンボルＢを示している。また、Ｑは、熱雑音と位相雑音の和を示し、Ｐは、熱雑音の大きさに対応した量を示しており、どちらのシンボルでも同じ値である。更に、閾値線は確率密度が同じ値、すなわち、ｆＡ（ｕ，ｖ）＝ｆＢ（ｕ，ｖ）の解である。シンボルを結ぶ直線の中点が原点であることからシンボル間の座標差を（Δｕ，Δｖ）とすると、ｕＢ＝−ｕＡ＝Δｕ／２，ｖＢ＝−ｖＡ＝Δｖ／２となる。
【００３３】
これにより、（１）式は、（Δｕ／Ｐ２）ｕ＋（Δｖ／Ｑ２）ｖ＝０となる。すなわち、座標（ｕ，ｖ）の原点を通る直線である。この直線は、楕円（ｕ−Δｕ）２／Ｐ２＋（ｖ−Δｖ）２／Ｑ２＝λ２と、楕円（ｕ＋Δｕ）２／Ｐ２＋（ｖ＋Δｖ）２／Ｑ２＝λ２とが交点を持つようにλを大きく選んだ場合における、交点を結ぶ直線としても得られる。
【００３４】
ここで、上述の内容について図を用いて説明する。図３は、隣接するシンボル間における閾値線の設定の様子を示す一例の図である。図３に示すように隣接する２つのシンボルに対して定義された楕円３１及び楕円３２があり、楕円３１に対しては矢印ａの方向、また、楕円３２に対しては矢印ｂ方向が、λを大きくした場合の楕円形状を示すものである。このとき、楕円３１及び楕円３２の交点を結ぶ直線が閾値線３３となる。このようにして楕円の交点から閾値線を容易に得ることができる。
【００３５】
また、元の座標（ｘ，ｙ）と、上述の座標（ｕ，ｖ）の関係は、下記に示す（２）式で表される。
【００３６】
【数２】
2005086549.tif 000004
ここで、
【００３７】
【数３】
2005086549.tif 000005
であり、上述の（ｘ０，ｙ０）は、シンボルを結ぶ直線の中点の元の座標系での座標である。
【００３８】
また、このときの閾値線の式は、｛ＺＡ―ＺＢ｝ｔ・Ｄ・｛Ｚ−Ｚ０｝＝０と表される。ここで、
【００３９】
【数４】
2005086549.tif 000006
であって、位相雑音の寄与を熱雑音で規格化した値がαである。位相雑音の電力（＝分散）は半径の２乗に比例することを考慮している。
【００４０】
このようにして、あるシンボルに対して閾値線をＩ−Ｑ平面の軸方向で隣接するシンボル、及びＩ−Ｑ平面の軸方向に対して４５度方向に隣接するシンボルからなる合計８個のシンボルを得ることができ、それらの閾値線で囲まれた領域をそのシンボルの判定閾領域とする。
【００４１】
ここで、上述した内容について図を用いて説明する。図４は、本発明にて設定される判定閾領域の一例を示す図である。
【００４２】
図４は、Ｉ―Ｑ平面上に設定されるシンボルに対応して本発明により定義された楕円４１と、楕円４１に隣接する合計８個のシンボルに対して、上述した位相雑音と熱雑音との和からなる分布形状を示す隣接楕円４２−１〜４２−８とを示している。ここで、図４に示すように、楕円４１と隣接楕円４２−１〜４２−８の夫々との閾値線は閾値線４３−１〜４３−８となり、この閾値線４３−１〜４３−８の交点のうち、楕円４１側にある線により囲まれた領域が本発明における判定閾領域となる（図４において、斜線部分）。
【００４３】
つまり、シンボル判定を行うある信号のシンボルが、図４における斜線部分にある場合、そのシンボルは、シンボル４０と判定される。
【００４４】
なお、図４では、楕円４１と隣接楕円４２−１〜４２−８との組み合わせ８個を１つの図に描いている。ここで、組み合わせ（４１，４２−１），（４１，４２−２），・・・，（４１，４２−８）の夫々の組については、２つの楕円は同一形状となるが、他の組の楕円形状とは異なる。つまり、楕円４１は判定閾領域を設定する隣接楕円により楕円形状が異なるものとなる。
【００４５】
次に、上述に示した判定閾領域の設定を、サンプリング等により得られる全てのシンボルの夫々について行うことにより、判定閾領域を容易に求めることができる。また、この判定領域を用いてシンボル判定を行うことにより、シンボル誤り率を低減させてデジタル復調の精度を向上させることができる。
【００４６】
なお。Ｉ−Ｑ平面上に位置付けられるシンボルのうち最外周のシンボルに対しては、隣接するシンボルがある部分についてのみ閾値線を決め、境界を適当に延長して領域を決定する。なお、判定閾領域を各シンボルに対して決めた場合、Ｉ−Ｑ平面上に何れかのシンボルの判定領域にも属さない領域が存在するが、その部分は、何れのシンボルの判定領域としても誤り率に対する影響は小さいので、Ｉ−Ｑ平面におけるコンスタレーション・パターンの中で受信信号に最も近いシンボルと判定することで対応することができる。
【００４７】
なお、受信機側での処理内容等の動作に併せて判定閾領域を設定する場合、判定領域を決めるパラメータαは、予め複数の値を用意しておき、誤り訂正前後の比較による誤り率の推定等により最適なものを選択することで対応することもできる。
【００４８】
＜実施例＞
ここで、上述に示した基本原理を適用したＱＡＭ復調器における判定領域について図を用いて説明する。まず、本発明におけるデジタル復調器の構成について図を用いて説明する。図５は、デジタル復調器のブロック構成の一例を示す図である。図５に示すデジタル復調器５０は、チューナ１１と、Ａ／Ｄ変換部１２と、準同期検波部１３と、タイミング再生部１４と、ロールオフフィルタ１５と、搬送波再生部１６と、判定帰還等化部１７と、シンボル判定部５８とを有するよう構成されている。なお、シンボル判定部５８以外の各構成要素の動作は、図１に示した内容と同様である。
【００４９】
次に、シンボル判定部５８の具体的な構成について図を用いて説明する。図６は、本発明におけるシンボル判定部５８のブロック構成の一例を示す図である。図６に示すシンボル判定部５８は、分布形状生成手段６０と、閾値線生成手段６１と、判定領域設定手段６２と、記録手段６３と、判定手段６４とを有するよう構成されている。なお、分布形状生成手段６０と、閾値線生成手段６１と、判定領域設定手段６２とを用いて判定閾領域を設定し、記録手段６３に記録する手段までは、実際に信号が判定手段６４に入力されるまでに行われる処理である。
【００５０】
まず、分布形状生成手段６０には、予め蓄積された位相雑音と熱雑音とを含むサンプリングデータが入力され、更に、上述したように必要に応じて判定閾領域を設定することができるパラメータが入力される。
【００５１】
分布形状生成手段６０は、上述した数式を用いて定義されるシンボルに対する楕円形状を生成し、生成した楕円形状データを閾値線生成手段６１に出力する。閾値線生成手段６１は、分布形状生成手段６０から得られるシンボル毎の楕円形状に基づいて閾値線を生成する。これらの処理を具体的に示すと次のようになる。
【００５２】
まず、原点からなるべく遠いシンボルについて、サンプリングデータをそのシンボルに関するｕ軸、ｖ軸の値として計測し、十分な数のデータを蓄積する。なお、このシンボルのデータ抽出には、従来の矩形領域判定法（シンボル間の垂直二等分線をシンボル間の閾値線をする方法）を用いて、そのシンボルのｘ軸、ｙ軸の領域を設定し、該当するデータだけを通過させるようにすることで可能である。そして、夫々の軸がガウス分布であると仮定して、最小自乗法等により各軸のσ（標準偏差）を推定する。次に、「ｖ軸のσ（楕円の長軸半径に相当）／ｕ軸のσ（楕円の短軸半径に相当）」を求める。ここで、この値は（Ｑ／Ｐ）に等しいため、上述した数４の式よりαが求まり、閾値線を生成することができる。このαを全てのシンボルの間の閾値線に適用する。
【００５３】
次に、閾値線生成手段６１は、生成した閾値線に関する情報を判定閾領域設定手段６２に出力する。判定閾領域設定手段６２は、パラメータと閾値線との情報に基づいて上述したようにシンボルに対する判定値領域を設定し、記録手段６３に出力する。
【００５４】
一方、判定手段６４は、判定帰還等化部１７から入力される信号に対して記録手段６３を参照し、入力された信号がどのシンボルに該当するかを判定し、判定結果から復調信号を出力する。これにより、シンボルを判定する判定閾領域を位相雑音及び熱雑音の和の分布形状に基づいて生成するため、シンボル誤り率を低減させてデジタル復調の精度を向上させることができる。
【００５５】
次に、本発明を適用した場合におけるシンボル誤り率が改善された様子を図を用いて説明する。図７は、本発明を適用した１０２４ＱＡＭ復調にて設定される判定領域の一例を示す図である。なお、図７は、コンスタレーションの左下のシンボルの座標を（−１，−１）とし、またα＝２．９として、上述した式に適用させることで得られるシンボル判定領域を示した図である。
【００５６】
ここで、受信信号がどの判定領域に含まれるかは、例えば、Ｉ−Ｑ平面上で各シンボルにおける判定領域の外周部の各頂点座標と、受信信号の座標とを用いて外積演算を行うことや、Ｉ−Ｑ平面を量子化して上述の図６に示す記録手段に一旦記録しておき、記録された内容と比較すること等により実現することができる。
【００５７】
図８は、図７に示す判定領域を用いた場合のシンボル誤り率特性の改善効果を示す図である。具体的には図８は、本発明のシンボル判定領域を用いた場合と従来のシンボル毎の矩形領域のシンボル判定領域を用いた場合における１０２４ＱＡＭのシンボル誤り率の結果を示す図である。
【００５８】
なお、図８は、搬送波を１／ｆ特性を持つ雑音により位相変調することで、模擬的に位相雑音を含む搬送波を発生させて、従来の判定領域の場合と比較したものである。
【００５９】
ここで、図８の横軸は、熱雑音に対する信号のレベルの比（ＣＮＲ［ｄＢ］：Ｃａｒｒｉｅｒ  ｔｏ  Ｎｏｉｓｅ  Ｒａｔｉｏ  ｄＢ）を示し、ＣＮＲの値が大きくなるほど熱雑音が小さくなる。また、縦軸は、シンボル誤り率（ＳＥＲ：Ｓｙｍｂｏｌ  Ｅｒｒｏｒ  Ｒａｔｅ）を示している。更に、図８では、シンボルレートを５．２７４ＭＨｚとした場合に、１０ｋＨｚオフセットで−９２．５ｄＢｃ／Ｈｚの位相雑音を有する。
【００６０】
図８に示すように、本発明を適用して判定領域を設定することにより、位相雑音の条件によっては、シンボル誤り率が従来の手法と比較して１／２程度になることがわかる。これにより、高精度なデジタル復調を実現することができる。
【００６１】
上述したように本発明によれば、シンボル誤り率を低減させてデジタル復調の精度を向上させることができる。具体的には、多値ＱＡＭ信号を復調するデジタル復調器において、隣接する２つのシンボルについて位相雑音と熱雑音との和の分布形状を同じ楕円と仮定して直線の閾値線を取得し、その閾値線を全てのシンボルの組合せから取得して、取得した閾値線で囲まれるＱＡＭ信号のシンボル判定閾領域とすることで、受信した伝送信号に含まれる位相雑音や、チューナ等で発生する位相雑音に対するシンボル誤り率を改善することができる。
【００６２】
以上本発明の好ましい実施例について詳述したが、本発明は係る特定の実施形態に限定されるものではなく、特許請求の範囲に記載された本発明の要旨の範囲内において、種々の変形、変更が可能である。
【図面の簡単な説明】
【００６３】
【図１】従来のデジタル復調器のブロック構成の一例を示す図である。
【図２】隣接するシンボルの位相雑音と熱雑音との分布の一例を示す図である。
【図３】隣接するシンボル間における閾値線の設定の様子を示す一例の図である。
【図４】本発明にて設定される判定閾領域の一例を示す図である。
【図５】デジタル復調器のブロック構成の一例を示す図である。
【図６】本発明におけるシンボル判定部のブロック構成の一例を示す図である。
【図７】本発明を適用した１０２４ＱＡＭ復調にて設定される判定領域の一例を示す図である。
【図８】図７に示す判定領域を用いた場合のシンボル誤り率特性の改善効果を示す図である。
【符号の説明】
【００６４】
１０，５０  デジタル復調器
１１  チューナ
１２  Ａ／Ｄ変換部
１３  準同期検波部
１４  タイミング再生部
１５  ロールオフフィルタ
１６  搬送波再生部
１７  判定帰還等化部
１８，５８  シンボル判定部
３１，３２、４１  楕円
３３，４３  閾値線
４２  隣接楕円
６０  分布形状生成手段
６１  閾値線生成手段
６２  判定領域設定手段
６３  記録手段
６４  判定手段
【図１】
2005086549.tif 000007
【図２】
2005086549.tif 000008
【図３】
2005086549.tif 000009
【図４】
2005086549.tif 000010
【図５】
2005086549.tif 000011
【図６】
2005086549.tif 000012
【図７】
2005086549.tif 000013
【図８】
2005086549.tif 000014